(57)【要約】      （修正有）【課題】光ファイバーの余長を収納する時、光ファイバー同士を接続した接続部を収納しても、収納する作業を容易に行えると共に収納した光ファイバーが乱雑にならない光端末装置を提供する。【解決手段】光ファイバーの余長を巻回して収納する複数のガイド部が余長収納トレイの底面部４ａから立設されて形成されている。これらの複数のガイド部の間に、光ファイバー同士の接続部である筒状接続部を少なくとも２つ保持するスリーブ保持部４３が形成されている。スリーブ保持部４３は、高さの異なる２つのスリーブ保持片４３ａ，４３ｂが、支持部４３ｃにより余長収納トレイの底面４ａから浮かせて形成されている。これにより、筒状接続部の一つであるスリーブ７２ａ，７２ｂを高さを変えて余長収納トレイの上部に収納することができる。【選択図】図１５
2015121717.tif 000002
【特許請求の範囲】
【請求項１】
光ファイバーにより伝達された光信号を電気信号に変換して出力する電子回路ユニットと、
該電子回路ユニットに電源を供給する電源ユニットと、
前記電子回路ユニットおよび前記電源ユニットの上に配置されると共に、導入された前記光ファイバーの余長を収納する余長収納トレイと、
前記電子回路ユニットと前記電源ユニットと前記余長収納トレイとを収納する本体部と、該本体部に対して開閉自在に固着される蓋部とからなる筐体とを備え、
前記光ファイバーの余長を巻回することにより収納することができる複数のガイド部が前記余長収納トレイの底面部から立設されて形成されると共に、前記光ファイバー同士の接続部である筒状接続部を少なくとも２つ保持する高さの異なる少なくとも２つのスリーブ保持片を有するスリーブ保持部が前記余長収納トレイの底面から浮かせて形成されていることを特徴とする光端末装置。
【請求項２】
前記スリーブ保持片は、平面状の中央部の両側が先端に行くほど間隔が狭まるように斜めに折曲されて形成され、また、高い位置に形成された第１のスリーブ保持片の前方に高さが低い第２のスリーブ保持片が形成されており、前記第１のスリーブ保持片と前記複数のガイド部の内の１つのガイド部との間に前記筒状接続部を弾性的に保持することができると共に、前記第２のスリーブ保持片と前記第１のスリーブ保持片の前記中央部との間に前記筒状接続部を弾性的に保持することができることを特徴とする請求項１記載の光端末装置。
【発明の詳細な説明】
【技術分野】
【０００１】
本発明は、光ファイバーから入力された光信号を電気信号に変換して出力する機能を有し、筐体内に導入された光ファイバーの余長を収納する余長収納部を備える光端末装置に関するものである。
【背景技術】
【０００２】
近年、高速広帯域通信サービスの普及に伴い、家庭と送信局との間を光ケーブルで接続する通信サービス、例えば、光ケーブルテレビジョン（ＣＡＴＶ）が実施されている。この通信サービスの実現には、光ファイバーを伝送されてきた光信号を光−電気信号変換して復調し、復調されたＣＡＴＶ信号をセットトップボックスや同軸のＣＡＴＶ線路に供給するための光端末装置が必要となる。一般的な光端末装置の筐体内には、導入される光ファイバーの余長を収納する余長収納部と、導入された光ファイバーからの光信号を電気信号に変換して出力する光受信部が内蔵されている。そして、この光受信部に電源を供給する電源部が光端末装置の筐体に内蔵されている。
【０００３】
特許文献１記載の光端末装置と同様の構成とされた従来の光端末装置の構成の一例を示す斜視図を図１７に示し、その一部を拡大して図１８に示す。従来の光端末装置１００は、本体部１０２と、本体部１０２に嵌合される蓋部１０３とからなる筐体を備えているが、図１７においては蓋部１０３を省略して示している。
本体部１０２は、上面が開口された矩形の箱状とされている。本体部１０２の内部には、図示しない電源部と電子回路ユニットとが収納されており、電源部から引き出された電源ケーブル１６１が前面の右側に形成されているケーブル挿入孔１６０から導出されている。なお、図１７では電源ケーブル１６１を省略して示している。また、電子回路ユニットの前面に設けられている複数の同軸端子１５１が、本体部１０２の前面に形成された円筒状の端子孔から外部に突出している。さらに、本体部１０２の前面下端の左右両側から取付片１０２ｄが突出するよう形成されており、取付片１０２ｄに形成されている挿通孔にネジを挿通して建物の壁等に螺着することにより、建物の壁等に光端末装置１００を設置することができる。
ここで、本体部１０２の両側面の後部にそれぞれ形成された枢軸１０２ｄを回転軸として、蓋部１０３は本体部１０２に対して開閉自在に枢着されている。蓋部１０３を開ける場合は、蓋部１０３の上面の板から前方へ延伸するよう形成された延伸部１０３ｂに下から指をかけて上方へ向かう力を印加する。これにより、延伸部１０３ｂの前縁から下方へ向かって形成された一対の係合片１０３ｃが、本体部１０２の前面の上部の両側にそれぞれ形成された係合突起１０２ｃから外れて、蓋部１０３は枢軸１０２ｄを回転軸として回転して本体部１０２から蓋部１０３を開けることができる。
【０００４】
本体部１０２に内蔵された電源部と電子回路ユニットの上には、図１７に示すように樹脂成形された余長収納トレイ１０４が載置されて、光端末装置１００の筐体内に電源部と電子回路ユニットおよび余長収納トレイ１０４が内蔵されるようになる。余長収納トレイ１０４は矩形状の底面と、底面の４辺からそれぞれ立設する側壁１０４ａを有しており、本体部１０２の内側の形状とほぼ同じ大きさとされている。余長収納トレイ１０４には、底面から立設して形成された円弧状のガイド壁１４１や楕円形状のガイド壁１４１が複数形成されており、これらのガイド壁１４１の上縁には先端に行くほど幅が狭くなりひさし状に張り出すように形成された押さえ爪１４２が所定間隔で複数形成されている。また、余長収納トレイ１０４の前側の両側に挟着部１４５がそれぞれ形成されており、本体部１０２の前面の上部の両側に形成された細長い矩形状の溝とされる光ファイバー導入孔１０２ａから導入された光ファイバーが挟着部１４５において固着される。挟着部１４５には、鋸歯状の突起が相対向して形成されており、この間に光ファイバーを挟み込むことにより固着することができる。
【０００５】
図示していないが、光端末装置１００内に導入された光ファイバーの先端には光コネクタが設けられており、この光コネクタが電子回路ユニットの光コネクタに装着されることにより、電子回路ユニットに光信号が入力されるようになる。この場合、光ファイバーの長さは余裕を持って敷線されていることから、光端末装置１００に導入される光ファイバーには余長が生じることが一般的とされる。この光ファイバーの余長を、光端末装置１００に内蔵された余長収納トレイ１０４により収納することができる。上記した余長収納トレイ１０４における複数のガイド壁１４１には、光端末装置１００に導入された光ファイバーの余長を巻回して収納することができる。この場合、光ファイバーは弾性を有していることから巻回された際に、巻き径が拡がる方向に付勢される。このように、巻き径が拡がる方向に光ファイバーが付勢されても、ガイド壁１４１を乗り越えないように複数の押さえ爪１４２がガイド壁１４１の上縁に形成されている。
【０００６】
従来の光端末装置１００においては、特許文献２に記載された光端末装置のように、電源部が光端末装置１００に対して着脱自在とされて、電源部を光端末装置１００から取り出して外部に設けることができるようにされている。この場合、図示していないが電源部には同軸端子が設けられており、この同軸端子に接続された同軸ケーブルを光端末装置１００の同軸端子１５１に接続することにより、外部に設けた電源部から光端末装置１００に内蔵された電子回路ユニットに電源が供給されるようになる。電源部を光端末装置１００から取り出すと、電源部から引き出されている電源ケーブル１６１も取り外されることになるから、図１９（ａ）に示すように電源ケーブル１６１が引き出されている本体部１０２の前面のケーブル挿入孔１６０が空くようになる。すると、この空いたケーブル挿入孔１６０から雨水等が光端末装置１００に浸入して支障を来すおそれがあることから、ケーブル挿入孔１６０に防水キャップ１２１を嵌合して塞ぐようにしている。防水キャップ１２１は、矩形状の頭部１２１ａと、頭部１２１ａの下面の両側から互いに平行に延伸する２本の足部１２１ｂとから構成されている。足部１２１ｂの先端にはクサビ状の係合部が形成されており、ケーブル挿入孔１６０に防水キャップ１２１を嵌合した際に、ケーブル挿入孔１６０に２本の足部１２１ｂが弾性的に係合するようになる。
【０００７】
ケーブル挿入孔１６０に防水キャップ１２１を嵌合した状態が図１９（ｂ）に示されている。この防水キャップ１２１は、光端末装置１００内に電源部を収納した際には不要となって紛失するおそれがあることから、不要となった防水キャップ１２１を光端末装置１００内に収納して紛失を防止するようにしている。具体的には、図２０に示すように楕円状のガイド壁１４１の内部に２枚の平面状の板を対面させた挟持部１４７が形成されており、この挟持部１４７の間に防水キャップ１２１の２本の足部１２１ｂを弾性的に挟持できるようにされている。
【０００８】
ところで、光端末装置１００の筐体内において光ファイバー同士の接続を行う場合がある。この光ファイバー同士の接続が光ファイバーの端面同士を融着して行われる場合は、融着部を保護するスリーブが融着部に装着される。また、光ファイバーの端面を位置合わせして固定するメカニカルスプライスにより光ファイバーを接続することも行われている。このようなスリーブやメカニカルスプライスは、光ファイバーの余長と共に筐体内に収納される。すると、スリーブやメカニカルスプライスは、光ファイバーより径が太く光ファイバーに比較して重いと共に曲げることができないため、筐体内で動かないように保持しておかないと動いた際に光ファイバーが屈曲されて傷むおそれが生じる。そこで、引用文献３に記載されている光端末装置のように、従来の光端末装置１００においては、余長収納トレイ１０４のほぼ中央の両側にスリーブやメカニカルスプライスを保持するスリーブ保持部１４４を設けている。スリーブやメカニカルスプライスを保持するスリーブ保持部１４４は、壁部と壁部に対面する保持片とから構成され、壁部と保持片の間にスリーブやメカニカルスプライスが弾性的に保持するようにしている。
【先行技術文献】
【特許文献】
【０００９】
【特許文献１】特開２００５−１９１２１１号公報
【特許文献２】特開２００５−２７６９３７号公報
【特許文献３】特開２００５−１８９４３８号公報
【発明の概要】
【発明が解決しようとする課題】
【００１０】
従来の光端末装置１００においては、光ファイバーの余長を余長収納部に収納することができる。光ファイバーの余長を収納する時、光ファイバー同士を接続した接続部におけるスリーブあるいはメカニカルスプライスの収納位置は、余長収納部の構造に依存するようになる。すると、その保持部の位置によっては光ファイバーの余長を収納する作業が煩わしくなることがあり、収納された光ファイバーが乱雑になる恐れがあるという問題点があった。
【００１１】
そこで、本発明は、光ファイバーの余長を収納する時、光ファイバー同士を接続した接続部を収納しても、収納する作業を容易に行えると共に収納した光ファイバーが乱雑にならない光端末装置を提供することを目的としている。
【課題を解決するための手段】
【００１２】
本発明の光端末装置は、光ファイバーにより伝達された光信号を電気信号に変換して出力する電子回路ユニットと、該電子回路ユニットに電源を供給する電源ユニットと、前記電子回路ユニットおよび前記電源ユニットの上に配置されると共に、導入された前記光ファイバーの余長を収納する余長収納トレイと、前記電子回路ユニットと前記電源ユニットと前記余長収納トレイとを収納する本体部と、該本体部に対して開閉自在に固着される蓋部とからなる筐体とを備え、前記光ファイバーの余長を巻回することにより収納することができる複数のガイド部が前記余長収納トレイの底面部から立設されて形成されると共に、前記光ファイバー同士の接続部である筒状接続部を少なくとも２つ保持する高さの異なる少なくとも２つのスリーブ保持片を有するスリーブ保持部が前記余長収納トレイの底面から浮かせて形成されていることを最も主要な特徴としている。
【発明の効果】
【００１３】
本発明の光端末装置は、光ファイバーの余長を巻回することにより収納することができる複数のガイド部が余長収納トレイの底面部から立設されて形成され、光ファイバー同士の接続部である筒状接続部を少なくとも２つ保持する高さの異なる少なくとも２つのスリーブ保持片を有するスリーブ保持部が余長収納トレイの底面から浮かせて形成されている。これにより、２つのスリーブ保持部が高さ方向に交わらない位置関係になると共に、余長収納トレイの底面より浮かせた位置に設置される。従って、２つのスリーブ保持部の保持位置の高さを変えて筒状接続部を収納することができ、２系統の光ファイバーの余長を整理して収納することができるようになる。また、スリーブ保持部の保持位置が高い位置にあることから、光ファイバーの余長を収納する際にスリーブ保持部が邪魔になることを回避することができる。
【図面の簡単な説明】
【００１４】
【図１】本発明の実施例にかかる光端末装置の構成を示す斜視図である。
【図２】本発明の実施例にかかる光端末装置において蓋部を開けた時の構成を示す斜視図である。
【図３】本発明の実施例にかかる光端末装置において蓋部を開けた時の他の構成を示す斜視図である。
【図４】本発明にかかる光端末装置の余長収納トレイの構成を示す斜視図である。
【図５】本発明にかかる光端末装置の余長収納トレイの構成を示す上面図である。
【図６】本発明にかかる光端末装置の余長収納トレイに光ファイバーを巻回する第１，２の態様を示す上面図である。
【図７】本発明にかかる光端末装置の余長収納トレイに光ファイバーを巻回する第３，４の態様を示す上面図である。
【図８】本発明にかかる光端末装置の余長収納トレイに光ファイバーを巻回する第５の態様を示す上面図である。
【図９】本発明にかかる光端末装置の余長収納トレイの一部の構成を拡大して示す斜視図、Ａ−Ａ線断面図である。
【図１０】本発明にかかる光端末装置の余長収納トレイの構成を対比するための一部の構成を拡大して示す斜視図、Ｂ−Ｂ線断面図である。
【図１１】本発明にかかる光端末装置の余長収納トレイにシートを装着した状態の構成を示す斜視図、上面図である。
【図１２】本発明にかかる光端末装置の余長収納トレイの他の一部を拡大して示す斜視図、シートを装着した状態の構成の一部を示す斜視図である。
【図１３】本発明にかかる光端末装置の余長収納トレイに装着されるシートの構成を示す上面図、斜視図である。
【図１４】本発明にかかる光端末装置の余長収納トレイにおけるスリーブ保持部の構成を示す前方斜視図、後方斜視図である。
【図１５】本発明にかかる光端末装置の余長収納トレイにおける他のスリーブ保持部の構成を示す斜視図、正面図である。
【図１６】本発明にかかる光端末装置の前面の一部の構成を拡大して示す斜視図である。
【図１７】従来の光端末装置において、蓋部を取り去った時の構成を示す斜視図である。
【図１８】従来の光端末装置の前面の一部の構成を拡大して示す斜視図である。
【図１９】従来の光端末装置の前面の一部の他の構成を拡大して示す斜視図である。
【図２０】従来の光端末装置の余長収納トレイの一部の構成を拡大して示す斜視図である。
【発明を実施するための形態】
【００１５】
本発明の実施例にかかる光端末装置の構成を図１ないし図３に示す。図１は本発明にかかる光端末装置１の構成を示す斜視図であり、図２は蓋部３を開いた時の本発明にかかる光端末装置１の構成を示す斜視図であり、図３は蓋部３を開いて余長収納トレイ４を取り去った時の本発明にかかる光端末装置１の構成を示す斜視図である。
これらの図に示すように、光端末装置１は、本体部２と、本体部２に開閉自在に枢支される蓋部３とからなる筐体を備えている。本体部２は樹脂成形により作成されて、上面が開口された矩形の箱状の形状とされている。本体部２は、底面の４辺の縁部のそれぞれからほぼ直角に起立する４枚の板を備え、これにより、箱状とされている。図１〜図３においては、４枚の板の内の前面板２ａと第１側面板２ｂとが図示されている。前面板２ａの高さは、第１側面板２ｂを含む他の３枚の板の高さより高く形成されている。前面板２ａの下半分に３つの突出する円筒状部２ｅが形成されており、この円筒状部２ｅのそれぞれに同軸端子５１が挿通されて突出されている。前面板２ａの上半分の左右両側には、細い幅の溝とされる光ファイバー導入孔２ｆがそれぞれ形成されており、２つの光ファイバー導入孔２ｆの間に一対の係合突部２ｃが形成されている。係合突部２ｃは、断面が横長の平面状の突起とされており、先端部に下辺より上辺が短くなる斜面が形成されている。また、前面板２ａの一側の近傍に横方向にスライド可能なスライド片を有するスライド部２１が設けられており、スライド部２１に設けられたケーブル挿入口から電源ケーブル６１が導出されている。さらに、前面板２ａの下端の左右両側から取付片２ｄが突出するよう形成されており、取付片２ｄに形成されている挿通孔にネジを挿通して建物の壁等に螺着することにより、建物の壁等に光端末装置１を設置することができるようにされている。
【００１６】
蓋部３は樹脂成形により作成されて、矩形状の上面板３ａと、上面板３ａの両側から起立して形成された第１側面板３ｂと第２側面板３ｃとにより構成されている。上面板３ａの前側からは前方へ延伸する延伸部３ｄが形成されており、延伸部３ｄの先端には１対の係合片３ｅが起立して形成されている。係合片３ｅの先端の内側にはクサビ状の突起が形成されている。また、第１側面板３ｂと第２側面板３ｃの下縁の後部から延伸するほぼ矩形状の保持片３ｆが形成されており、保持片３ｆには円形の穴が形成されている。そして、本体部２の第１側面板２ｂを含む両側の板には、蓋部３における保持片３ｆに形成された円形の穴に対応する位置に断面円形の突起とされる枢軸が形成されており、この枢軸に保持片３ｆに形成された円形の穴が嵌挿されることにより、蓋部３は本体部２に対して開閉自在に回転できるようになる。本体部２に蓋部３を閉めた際には、１対の係合片３ｅが１対の係合突部２ｃにそれぞれ係合するようになる。また、蓋部３を本体部２に閉めた状態において、延伸部３ｄに指をかけて上方へ向かう力を印加すると、係合突部２ｃから係合片３ｅの係合が外れて蓋部３が開くようになり、図２に示す状態とすることができる。
【００１７】
本体部２と蓋部３とからなる筐体には、電子回路ユニット５と電源ユニット６および余長収納トレイ４とが内蔵されている。電子回路ユニット５は本体部２の前側の底面上に収納され、電源ユニット６は本体部２の後側の底面上に収納される。電子回路ユニット５が本体部２に収納されると、電子回路ユニット５に設けられている複数の同軸端子５１が、前面板２ａの円筒状部２ｅにそれぞれ挿通されて突出するようになる。また、電源ユニット６が本体部２に収納されると、電源ユニット６から引き出されている電源ケーブル６１が前面板２ａのスライド部２１から導出されるようになる。なお、電子回路ユニット５は光コネクタ５ａを有しており、光端末装置１内に導入された光ファイバーの先端に設けられた光コネクタが光コネクタ５ａに装着され、これにより、光信号が電子回路ユニット５に供給されるようになる。電子回路ユニット５では、入力された光信号を電気信号に変換して同軸端子５１から出力する。電源ユニット６は、この電子回路ユニット５に動作用の電源を供給している。
【００１８】
本体部２に収納された電子回路ユニット５と電源ユニット６の上に重ねるように余長収納トレイ４が収納されている。余長収納トレイ４の前側の側壁から後述する係止部４９ａが前方へ突出して形成され、後側の側壁には矩形状とされた係止凹部４９ｂが形成されている。余長収納トレイ４を電子回路ユニット５と電源ユニット６の上に載置する際に、係止部４９ａの本体部２の前面板２ａの内面に形成された図示しない係止突部に係止させて載置する。これにより、本体部２の後面板から上方へ突出して形成されている支持片２ｇが係止凹部４９ｂに係止されて、本体部２の電子回路ユニット５と電源ユニット６の上に余長収納トレイ４が取り付けられる。
【００１９】
余長収納トレイ４の構成を図４および図５に示す。図４は余長収納トレイ４の構成を示す斜視図であり、図５は余長収納トレイ４の構成を示す上面図である。
余長収納トレイ４は樹脂成形により作成されて、これらの図に示すように、上面が開口された矩形の箱状の形状とされている。余長収納トレイ４は、矩形状の底面部４ａの４辺の縁部のそれぞれからほぼ直角に起立する第１側壁４ｂ、第２側壁４ｃ、第３側壁４ｄ、第４側壁４ｅの４枚の壁部を備え、これにより、上面が開口された箱状とされている。余長収納トレイ４は、本発明にかかる光端末装置１に導入された光ファイバーの余長を収納するために設けられており、余長収納トレイ４の内部には光ファイバーを巻回して収納するための複数のガイド部が底面部４ａから壁状に立設されて形成されている。
【００２０】
余長収納トレイ４の前面となる第２側壁４ｃの両側には光ファイバーが導入される細い幅の溝とされた導入溝４５ｃがそれぞれ形成されている。この導入溝４５ｃは、光端末装置１の前面板２ａに形成されている光ファイバー導入孔２ｆに重なっており、光ファイバー導入孔２ｆから光端末装置１に導入された光ファイバーは、導入溝４５ｃを介して余長収納トレイ４内に導入されるようになる。導入された光ファイバーは、導入孔４５ｃの後に形成されている挟着部４５で挟持されて保持されるようになる。挟着部４５は、先端がテーパ状とされた複数列の突起が相対向して形成されている挟着溝４５ｅと、この挟着溝４５ｅに被せられる挟着片４５ａを有し、挟着片４５ａはヒンジ部４５ｄにより挟着溝４５ｅ上に開閉自在にされていると共に、挟着片４５ａの外側には係止片４５ｂが形成されている。係止片４５ｂはＶ字状に形成されて弾性を有しており、挟着片４５ａをヒンジ部４５ｄで曲げて挟着溝４５ｅ上に被せた際に、挟着溝４５ｅに挿着された光ファイバーが挟着部４５から抜け出ないように挟持される。この際に、矩形状の孔である係止孔４５ｆに係止片４５ｂが弾性的に係止されて、挟着片４５ａは閉じた状態を維持するようになる。
【００２１】
余長収納トレイ４内に導入された光ファイバーの先端には光コネクタが設けられており、この光コネクタは電子回路ユニット５における光コネクタ５ａに装着される。この際の光ファイバーの余長は底面部４ａから壁状に立設されて形成されているガイド部に巻回されて収納される。このガイド部においては、一面が凸状で他面が凹状とされた三日月状の形状とされた第１ガイド部４１ａが底面部４ａの奥に形成されており、第１ガイド部４１ａの前側に隣接して両面が凸状とされた楕円形状の第２ガイド部４１ｂが形成されている。また、第２ガイド部４１ｂの前側に隣接して第２ガイド部４１ｂとほぼ同形状の楕円形状とされた第３ガイド部４１ｃが形成されており、第３ガイド部４１ｃの前側に隣接して第１ガイド部４１ａと同形状で上下反転された三日月状の形状とされた第４ガイド部４１ｄが形成されている。
【００２２】
第１ガイド部４１ａ〜第４ガイド部４１ｄは、底面部４ａの奥から中心軸が重なるように並んで形成されており、第１ガイド部４１ａの凹状の部分に第２ガイド部４１ｂの凸状の部分が対面して、この凸状と凹状の曲率がほぼ等しくされていることから、両者の間に円弧状のほぼ一定幅とされた溝が形成されている。また、第３ガイド部４１ｃの凸状の曲面の部分に第４ガイド部４１ｄの凹状の曲面の部分が対面して、この凸状と凹状の曲率がほぼ等しくされていることから、両者の間に円弧状のほぼ一定幅とされた溝が形成されている。さらに、第１ガイド部４１ａの凸状の部分の外側に円弧状の外側ガイド部４６ａと外側ガイド部４６ｂとが対面して形成されており、この凸状の部分と外側ガイド部４６ａ，４６ｂの曲率がほぼ等しいことから、両者の間に円弧状のほぼ一定幅とされた溝が形成されている。さらにまた、第３ガイド部４１ｃの左側から第４ガイド部４１ｄの凸状の曲面の部分の外側にかけて、直線状の先端に円弧状が追加された形状の外側ガイド部４６ｃが対面して形成されており、この凸状の部分と外側ガイド部４６ｃの曲率がほぼ等しいことから、両者の間に円弧状のほぼ一定幅とされた溝が形成されている。なお、外側ガイド部４６ｂは第１側壁４ｂと第４側壁４ｅと第３側壁４ｄと、その角部を除いて重なって形成されており、重ならない角部においては小さな曲率の円弧で第１側壁４ｂ、第４側壁４ｅ、第３側壁４ｄの内側に外側ガイド部４６ｂが形成されている。また、外側ガイド部４６ａの外側に円弧状の外側ガイド部４６ｄが形成されており、外側ガイド部４６ａと外側ガイド部４６ｃとの間に短い外側ガイド部４６ｅが形成されている。この外側ガイド部４６ｅは、外側ガイド部４６ａと外側ガイド部４６ｃとを結ぶ線上より若干内側である第３側壁４ｄ側に形成されている。
【００２３】
上記したほぼ一定幅の溝内に光端末装置１に導入された光ファイバーの余長が巻回されて収納されるが、光ファイバーは弾性を有していることから巻回された際に、巻き径が拡がる方向に付勢される。このように、巻き径が拡がる方向に光ファイバーが付勢されると、第１ガイド部４１ａないし第４ガイド部４１ｄおよび外側ガイド部４６ａ〜４６ｄを乗り越えて光ファイバーが乱雑になるおそれがあり、メンテナンス等の作業性が劣化したり、見栄えが悪くなり、最悪の場合伝送特性の劣化を招く恐れがある。これを防止するために、それぞれのガイド部の上縁および中間位置には、先端に行くほど幅が狭くなりひさし状に張り出すように形成された複数の押さえ爪が所定間隔毎に形成されている。上記ガイド部に形成される押さえ爪は、上記ガイド部の上縁に形成された上段押さえ爪４２ａと、上記ガイド部のほぼ中間位置の高さに形成された下段押さえ爪４２ｂとの高さの異なる２段に形成されている。上段押さえ爪４２ａと下段押さえ爪４２ｂとは底面部４ａの面にほぼ平行に、先端が対面するガイド部に接近する長さで所定間隔毎に上記ガイド部に形成され、丸みを帯びた先端に行くほど両側の幅が狭くなりひさし状に張り出すように形成されている。図５においては、下段押さえ爪４２ｂだけにハッチングを施して示しているが、上段押さえ爪４２ａと下段押さえ爪４２ｂとはほぼ交互に上記ガイド部に形成されている。
【００２４】
このように、第１ガイド部４１ａ〜第４ガイド部４１ｄと外部ガイド部４６ａ〜４６ｄに上段押さえ爪４２ａおよび下段押さえ爪４２ｂを設けるようにしたため、光端末装置１に導入された光ファイバーの余長を下段押さえ爪４２ｂと底面部４ａとの間、上段押さえ爪４２ａと下段押さえ爪４２ｂとの間に２段に収納することができるようになる。このため、例えば光ファイバーを接続する融着部を保護するスリーブ（またはメカニカルスプライス）の前後を上下段で分けて収納したり、または、映像系と通信系といった信号系統が２つある場合は、その２つを上下段で分けて収納することも可能となり、整理しながら光ファイバーの余長を収納することができるようになる。
なお、光ファイバーの余長を分けて収納する必要がない場合は上下段を意識する必要はないが、より収納作業性をよくしたい場合は収納し易い上段を使い、収納した光ファイバーの余長の飛び出しを確実に防止したい場合は深い位置にある下段を使うといったように使い分けることも可能である。
【００２５】
第１ガイド部４１ａに対面する外側ガイド部４６ｂの上縁に形成された上段押さえ爪４２ａの構成を拡大して図９（ａ）に示し、図９（ａ）のＡ−Ａ線で切断した断面図を図９（ｂ）に示す。これらの図に示すように、外側ガイド部４６ｂの上縁からほぼ直角に折曲されてひさし状に張り出すように形成された上段押さえ爪４２ａの丸みを帯びた先端は、対面する第１ガイド部４１ａに間隔ｄ１で近接しており、上段押さえ爪４２ａの先端に対面する第１ガイド部４１ａには凹部４８ａが形成されている。凹部４８ａの深さはｄ２とされ、凹部４８ａの幅は上段押さえ爪４２ａの丸みを帯びる寸前の先端部の幅の２〜４倍の幅とされる。また、外側ガイド部４６ｂの中途にほぼ直交して形成された下段押さえ爪４２ｂが図９（ａ）に示されているが、下段押さえ爪４２ｂの先端は、対面する第１ガイド部４１ａに間隔ｄ１で近接しており、下段押さえ爪４２ｂの先端に対面する第１ガイド部４１ａには凹部４８ｂが形成されている。凹部４８ｂの深さは凹部４８ａより深くてｄ３とされ、凹部４８ｂの幅は下段押さえ爪４２ｂの丸みを帯びる寸前の先端部の幅の２〜４倍の幅とされる。寸法の一例を示すと、間隔ｄ１は約２ｍｍとされ、深さｄ２は上段押さえ爪４２ａの下面から約０．５ｍｍくらい下になる深さとされ、深さｄ３は下段押さえ爪４２ｂの下面から約０．５ｍｍくらい下になる深さとされる。
【００２６】
ここで、凹部４８ａおよび凹部４８ｂの作用について説明するために、凹部４８ａおよび凹部４８ｂを設けない場合の余長収納トレイ４の構成を対比して図１０（ａ）（ｂ）に示す。図１０（ａ）に凹部４８ａおよび凹部４８ｂを設けない場合の第１ガイド部４１ａに対面する外側ガイド部４６ｂの上縁に形成された上段押さえ爪４２ａの構成を拡大して示し、図１０（ｂ）に図１０（ａ）のＢ−Ｂ線で切断した断面図を示す。これらの図に示すように、外側ガイド部４６ｂの上縁からほぼ直角に折曲されてひさし状に張り出すように形成された上段押さえ爪４２ａの丸みを帯びた先端は、対面する第１ガイド部４１ａに間隔ｄ１で近接している。また、外側ガイド部４６ｂの中途にほぼ直交して形成された下段押さえ爪４２ｂが図１０（ａ）に示されているが、下段押さえ爪４２ｂの先端は、対面する第１ガイド部４１ａに間隔ｄ１で近接している。間隔ｄ１は、上記したように例えば約２ｍｍとされる。
【００２７】
このように、上段押さえ爪４２ａおよび下段押さえ爪４２ｂの長さを長くして対面する第１ガイド部４１ａ〜第４ガイド部４１ｄに接近させると両者の間の通路が狭まることから、より光ファイバーの飛び出しを防止する作用を奏することができる。しかし、通路が狭いことから光ファイバーを上段押さえ爪４２ａあるいは下段押さえ爪４２ｂの内部に収納する作業が困難になってしまう。そこで、本発明の光端末装置１における余長収納トレイ４においては、図９に示すように、上段押さえ爪４２ａの先端に対面する第１ガイド部４１ａ〜第４ガイド部４１ｄに上段押さえ爪４２ａの下面より低くなる凹部４８ａを形成すると共に、下段押さえ爪４２ｂの先端に対面する第１ガイド部４１ａ〜第４ガイド部４１ｄに下段押さえ爪４２ｂの下面より低くなる凹部４８ｂを形成している。
すなわち、上段押さえ爪４２ａおよび下段押さえ爪４２ｂの長さを長くして、光ファイバーを収納する際の通路を狭めても、上段押さえ爪４２ａあるいは下段押さえ爪４２ｂに対面する第１ガイド部４１ａ〜第４ガイド部４１ｄに、上段押さえ爪４２ａあるいは下段押さえ爪４２ｂの下面より低くなる凹部４８ａあるいは凹部４８ｂが形成されていることから、光ファイバーを斜め上方向からから上段押さえ爪４２ａあるいは下段押さえ爪４２ｂの内部に入れることができるようになり作業性が向上する。また、凹部４８ａあるいは凹部４８ｂが形成されていることから、凹部４８ａあるいは凹部４８ｂに指や工具が入るようになるため、より光ファイバーを収納する作業性が向上する。
【００２８】
上記した図４，図５に示すように余長収納トレイ４に第１ガイド部４１ａ〜第４ガイド部４１ｄと外側ガイド部４６ａ〜４６ｄが形成されることにより、２つの互いに交わらない円筒状の巻部と、その２つの巻部共に交わる円筒状の巻部とが構成される。この態様を図６に示すが、図６に示すように第１ガイド部４１ａと第２ガイド部４１ｂとを合わせた外周により形成される円筒状の第１巻部８ａと、第３ガイド部４１ｃと第４ガイド部４１ｄとを合わせた外周により形成される第１巻部８ａと交わらない円筒状の第３巻部８ｃと、第２ガイド部４１ｂと第３ガイド部４１ｃとを合わせた外周により形成される第１巻部８ａおよび第２巻部８ｂと交わる円筒状の第２巻部８ｂとが構成される。この場合、第１巻部８ａ、第２巻部８ｂおよび第３巻部８ｃの半径は、光ファイバーが使用できる最小曲げ半径以上となっている。
【００２９】
これにより、図６（ｂ）に示すように第１巻部８ａと第３巻部８ｃとの２つに分けて光ファイバーを巻回して収納することができる。例えば、光ファイバーの接続部の前後で分けて収納したり、映像系と通信系といった信号系統が２つある場合は、信号系統別に分けて収納することができるようになる。また、光ファイバーの余長が長くない場合は第１巻部８ａのみあるいは第３巻部８ｃのみに巻回して収納するようにしても良い。さらに、光ファイバーの余長が長くないが短くもない場合は、図７（ａ）に示すように第１巻部８ａと第２巻部８ｂとを合わせたトラック状の第４巻部８ｄ、あるいは、第２巻部８ａと第３巻部８ｃとを合わせたトラック状の第５巻部８ｅに巻回して収納するようにしても良い。さらにまた、光ファイバーの余長が長い場合は、図７（ｂ）に示すように第１巻部８ａ、第２巻部８ｂおよび第３巻部８ｃを合わせた長いトラック状の第６巻部８ｆに巻回して収納するようにしても良い。さらにまた、余長収納トレイ４に収納する光ファイバーの巻方向を変更したい場合があるが、この場合は、図８に示すように、第１巻部８ａあるいは第３巻部８ｃに巻回した光ファイバーを、第２巻部８ｂの中央を通して第３巻部８ｃあるいは第１巻部８ａに巻回する第７巻部８ｇにより、巻方向を変更することができる。このように、余長収納トレイ４において第７巻部８ｇのように８の字状に光ファイバーを巻回することにより、巻方向の変更を行うことができる。なお、以上説明した光ファイバーの巻回の態様においては、いずれの態様でも巻部の半径が光ファイバーの最小曲げ半径以上になり、光ファイバーの最小曲げ半径を確保することができるようにされている。
【００３０】
次に、余長収納トレイ４にシート４７を装着した構成を図１１（ａ）（ｂ）に示す。図１１（ａ）は余長収納トレイにシートを装着した状態の構成を示す斜視図、図１１（ｂ）はその上面図である。また、余長収納トレイ４の一部を拡大してシート押さえ爪４２ｃの構成を図１２（ａ）に示し、このシート押さえ爪４２ｃにシート４７を装着した状態を拡大して図１２（ｂ）に示す。
図１２（ａ）に示すように、上段押さえ爪４２ａの上にシート押さえ爪４２ｃがわずかな隙間である空隙４２ｄを空けて形成されている。このシート押さえ爪４２ｃは、外側ガイド部４６ａ，４６ｂ，４６ｃに形成されている６カ所の上段押さえ爪４２ａの上にそれぞれ形成される。また、中央シート押さえ爪４２ｅは第３ガイド部４１ｃに形成されている図示されていない上段押さえ爪４２ａの上に空隙４２ｄをもって形成されている。中央シート押さえ爪４２ｅは、余長収納トレイ４における光ファイバーを収納できる部位のほぼ中央に位置して形成されている。シート押さえ爪４２ｃおよび中央シート押さえ爪４２ｅは、上段押さえ爪４２ａよりかなり小さい形状とされて、先端にいくほど両側の幅が狭く形成されている。このシート押さえ爪４２ｃおよび中央シート押さえ爪４２ｅと上段押さえ爪４２ａとの空隙４２ｄに樹脂製のシート４７の縁部等が嵌挿されて、図１１（ａ）（ｂ）および図１２（ｂ）に示すようにシート４７が余長収納トレイ４の光ファイバーが収納される各ガイド部の上面を覆うように装着される。空隙４２ｄの寸法は、シート４７の厚みとほぼ同様とされる。
【００３１】
シート４７の構成を示す上面図を図１３（ａ）に、その斜視図を図１３（ｂ）に示す。シート４７は厚みの薄い樹脂製のシートとされ、これらの図に示すように、上部４７ｂと下部４７ｃとは丸みを帯びて形成されており、上部４７ｂと下部４７ｃとの間の中央部４７ａの両側には切欠４７ｄが形成されて幅がやや狭くされている。また、中央部４７ａの中央よりやや下に矩形状の切り抜き部４７ｅが、中央シート押さえ爪４２ｅの位置に対応して形成されている。
このシート４７の切り抜き部４７ｅ内に中央シート押さえ爪４２ｅを挿入して、シート４７を第２側壁４ｃ方向へやや移動させると、中央シート押さえ爪４２ｅと上段押さえ爪４２ａとの空隙４２ｄに切り抜き部４７ｅの縁部が挟持される。次いで、シート４７の周縁を６カ所のシート押さえ爪４２ｃと上段押さえ爪４２ａとの空隙４２ｄに嵌挿する。これにより、余長収納トレイ４の上部を覆うと共にシート４７の浮きや脱落を防止するようにシート４７を装着することができる。
【００３２】
これにより、余長収納トレイ４に収納した光ファイバーが外に飛び出さないようにする機能をより確実なものにすることができる。また、シート４７を押さえるシート押さえ爪４２ｃおよび中央シート押さえ爪４２ｅを光ファイバーを押さえる上段押さえ爪４２ａの上に設置することにより、省スペース化が図れると共にシート４７を装着する構造が簡素化され、金型のコスト上昇を抑えることができる。
なお、シート４７の中央部４７ａの両側に形成した切欠４７ｄは、余長収納トレイ４に設けられている光ファイバー同士の接続部であるスリーブやメカニカルスプライスとされる筒状接続部を保持するスリーブ保持部４３とスリーブ保持部４４とが形成されている位置に対応している。
【００３３】
スリーブは、光ファイバー同士の接続が光ファイバーの端面同士を融着して行われる場合に、融着部を保護するように融着部に装着される。また、メカニカルスプライスは、光ファイバーの端面同士を位置合わせして固定することにより光ファイバーを接続している。このようなスリーブやメカニカルスプライスとされる筒状接続部は、光ファイバーの余長と共に余長収納トレイ４に収納されるが、この筒状接続部は、光ファイバーより径が太く細長い筒状の形状とされて光ファイバーに比較して重いと共に曲げることができないため、動かないように保持しておかないと動いた際に光ファイバーが屈曲されて傷むおそれが生じる。このため、余長収納トレイ４内で動かないように保持される。本発明にかかる光端末装置１においては、スリーブやメカニカルスプライスとされる筒状接続部を保持するスリーブ保持部４３とスリーブ保持部４４とが設けられている。
【００３４】
スリーブ保持部４４は図５に示すように、外側ガイド部４６ｅの第３側壁４ｄに対面する面に形成されており、スリーブ保持部４４の構成を拡大して図１４（ａ）（ｂ）に示す。図１４（ａ）はスリーブ保持部４４の構成を示す後方斜視図であり、図１４（ｂ）はスリーブ保持部４４の構成を示す前方斜視図である。これらの図に示すように、スリーブ保持部４４は外側ガイド部４６ｅの一面に形成されており、板状のスリーブ保持片４４ａと支持部４４ｂと係合爪４４ｃとから構成されている。スリーブ保持片４４ａは中央部が平面板状とされ、中央部の両側が先端に行くほど外側ガイド部４６ｅとの間隔が狭まるよう斜めに折曲された平面板状に形成されている。支持部４４ｂは、スリーブ保持片４４ａの中央部の下縁から延伸されて外側ガイド部４６ｅの一面に接続されており、スリーブ保持片４４ａを底面部４ａから浮かせるように形成されている。係合爪４４ｃは、スリーブ保持片４４ａの中央部の上縁とほぼ同じ高さに位置して外側ガイド部４６ｅの一面の上部から突出して形成されている。外側ガイド部４６ｅの他面の上縁であって、係合爪４４ｃと相対するように底面部４ａにほぼ平行にひさし状に張り出した上段押さえ爪４２ａが形成されている。なお、スリーブ保持部４４に保持されるスリーブあるいはメカニカルスプライスが外側ガイド部４６ｅの上部に位置するように、スリーブ保持片４４ａが底面部４ａから浮かせて形成されており、支持部４４ｂと底面部４ａとの間に生じた空隙に複数本の光ファイバーを収納することができるようになる。スリーブあるいはメカニカルスプライスをスリーブ保持部４３に保持する場合は、スリーブあるいはメカニカルスプライスをスリーブ保持片４３ａと外側ガイド部４６ｅとの間に挿入する。これにより、スリーブあるいはメカニカルスプライスがスリーブ保持片４４ａの両側の折曲部の作用により、外側ガイド部４６ｅの一面に弾性的に圧着されて保持される。
【００３５】
ここで、図６（ａ）および図７（ａ）に示すように第２巻部８ｂに光ファイバーの余長を巻回する場合、および、トラック状の第４巻部８ｄあるいは第５巻部８ｅに光ファイバーの余長を巻回する場合は、外側ガイド部４６ｅの内側に光ファイバーを巻回する。この場合は、スリーブ保持部４４の支持部４４ｂと底面部４ａとの空隙に光ファイバーが収納され、支持部４４ｂにより光ファイバーが外側ガイド部４６ｅを乗り越えないようになる。また、図７（ｂ）に示すように大きなトラック状の第６巻部８ｆに光ファイバーの余長を巻回する場合は、外側ガイド部４６ｅの内側あるいは外側に巻回できる。外側ガイド部４６ｅの内側に巻回した場合は、上記したように支持部４４ｂにより光ファイバーが外側ガイド部４６ｅを乗り越えないようになり、外側ガイド部４６ｅの外側に巻回した場合は、外側ガイド部４６ｅに形成された上段押さえ爪４２ａにより光ファイバーが外側ガイド部４６ｅを乗り越えないようになる。
【００３６】
次に、スリーブ保持部４３の構成を拡大して図１５（ａ）（ｂ）に示す。図１５（ａ）はスリーブ保持部４３の構成を示す前方斜視図であり、図１５（ｂ）はスリーブ保持部４３の構成を示す正面図である。これらの図に示すように、スリーブ保持部４３は外側ガイド部４６ｂとして機能している第３側壁４ｄの内面に対面して２段に形成されており、支持部４３ｃと、支持部４３ｃに段差をもって前後２段に形成された第１スリーブ保持片４３ａおよび第２スリーブ保持片４３ｂと、第１係合爪４３ｄおよび第２係合爪４３ｅとから構成されている。支持部４３ｃは底面部４ａから所定の高さに位置しており、第１スリーブ保持片４３ａおよび第２スリーブ保持片４３ｂの中央部の下縁から延伸されて第３側壁４ｄ（外側ガイド部４６ｂ）の内面に接続されている。第１スリーブ保持片４３ａおよび第２スリーブ保持片４３ｂは中央部が平面板状とされ、中央部の両側が先端に行くほど第３側壁４ｄ（外側ガイド部４６ｂ）との間隔が狭まるよう斜めに折曲された平面板状に形成されている。第２スリーブ保持片４３ｂは第１スリーブ保持片４３ａより低い位置であって、第３側壁４ｄ（外側ガイド部４６ｂ）に遠い側に配置されている。第１係合爪４３ｄは、第１スリーブ保持片４３ａの中央部の上縁とほぼ同じ高さに位置して、外側ガイド部４６ｅの内面の上部から突出して形成され、第２係合爪４３ｅは、第２スリーブ保持片４３ｂの中央部の上縁とほぼ同じ高さに位置しており、対面する第１スリーブ保持片４３ａの中央部の面に突出して形成されている。
【００３７】
図１５（ａ）（ｂ）には光ファイバー７１ａの端面同士の融着部を保護するスリーブ７２ａと、光ファイバー７１ｂの端面同士の融着部を保護するスリーブ７２ｂとがスリーブ保持部４３にそれぞれ装着されている。この場合、第１スリーブ保持片４３ａの両側の折曲部の作用により、スリーブ７２ａが第３側壁４ｄ（外側ガイド部４６ｂ）の上部の内面に弾性的に圧着されて保持されるようになる。また、第２スリーブ保持片４３ｂの両側の折曲部の作用により、スリーブ７２ｂが第１スリーブ保持片４３ａの中央部の外面に弾性的に圧着されて保持される。この場合、スリーブ７２ａが第３側壁４ｄ（外側ガイド部４６ｂ）の上部に位置して保持されるように第１スリーブ保持片４３ａは底面部４ａから浮かされて形成されており、スリーブ７２ｂがスリーブ７２ａより若干低い位置に保持されるように第２スリーブ保持片４３ｂは底面部４ａから浮かされて形成されている。この場合においても、支持部４３ｃと底面部４ａとの間に生じた空隙に複数本の光ファイバーを収納できるようになる。なお、図１５（ａ）（ｂ）ではスリーブ７２ａ，７２ｂをスリーブ保持部４３に保持するようにしたが、光ファイバー同士がメカニカルスプライスで接続されている場合も、スリーブ７２ａ，７２ｂと同様にしてメカニカルスプライスをスリーブ保持部４３に保持することができる。また、スリーブあるいはメカニカルスプライスをスリーブ保持部４３に保持する構成と同様にして、スリーブあるいはメカニカルスプライスをスリーブ保持部４４に保持することができる。
【００３８】
上記したように、スリーブ保持部４３とスリーブ保持部４４とが構成されていることから、映像系と通信系といった信号系統が２つある場合、光ファイバー同士の接続部であるスリーブやメカニカルスプライスとされる筒状接続部の保持位置の高さを変えることにより、一方を余長収納トレイ４の底面部４ａ側に収納し、他方を余長収納トレイ４の上面側に収納するといったことが容易になり、光ファイバーの余長を整理して収納することができるようになる。また、スリーブ７２ａ，７２ｂまたはメカニカルスプライスの保持位置が高い位置にあることから、光ファイバーの余長を収納する際に、スリーブ７２ａ，７２ｂまたはメカニカルスプライスが邪魔になるといった事が回避されるようになる。
【００３９】
ところで、本発明にかかる光端末装置１においては、本体部２と蓋部３とからなる筐体に電源ユニット６が内蔵されており、電源ユニット６は本体部２に対して着脱自在に収納されている。電源ユニット６に電源を供給するコンセントが、光端末装置１が設置される場所の近傍にある場合は、電源ユニット６が光端末装置１の筐体内に収納されるが、コンセントが光端末装置１の設置場所の近傍にない場合は、電源ユニット６が光端末装置１から取り出されてコンセントの近傍に設置される。この場合、電源ユニット６には同軸端子が設けられており、この同軸端子と光端末装置１の同軸端子５１とを同軸ケーブルで接続することにより、同軸ケーブルを介して電源ユニット６から光端末装置１に電源が供給されて電子回路ユニット５が動作可能となる。なお、この同軸ケーブルを介して光端末装置１から光信号を変換した電気信号が送られるが、この電気信号は電源ユニット６に設けられた他の同軸端子から出力されて所定の電子機器へ供給できるようになる。
【００４０】
ここで、光端末装置１の筐体内に電源ユニット６を収納した場合に、電源ユニット６から引き出されている電源ケーブル６１が本体部２の前面板２ａから引き出される構成を拡大して図１６（ａ）に示す。この図には示されていないが、電源ケーブル６１はスライド部２１のケーブル挿入口２１ａから引き出されている。次に、光端末装置１の筐体内から電源ユニット６を取り出した場合に、電源ユニット６から引き出されている電源ケーブル６１を筐体から取り外した構成を拡大して図１６（ｂ）に示す。この図に示すように、電源ケーブル６１を導出していた本体部２の前面板２ａに設けられた電源ケーブル６１の通路であるケーブル挿入口２１ａが空くようになる。すると、このケーブル挿入口２１ａから雨水等が光端末装置１に浸入して支障を来すおそれがあることから、スライド部２１においてスライド片２１ｂを横にスライドしてケーブル挿入口２１ａを図１６（ｃ）に示すように塞ぐようにする。
このように、電源ケーブル６１の通路であるケーブル挿入口２１ａの防水をスライド片２１ｂをスライドして行うことにより、防水のための作業が楽になる。従って、従来のように防水キャップを取り外して嵌合するといった作業を行う必要がないので、防水キャップを紛失する恐れがなくすことができ、また、防水キャップが不要となることからコストダウンを図ることができる。なお、ケーブル挿入口２１ａは溝とされて一面が開口されており、この開口から先端にプラグが装着された電源ケーブル６１が挿入される。この開口は、蓋部３を本体部２に閉じた際に蓋部３の第２側面板３ｃにより閉じられる。
【産業上の利用可能性】
【００４１】
本発明にかかる光端末装置には、光ファイバーを伝送されてきた光信号を光−電気信号変換して復調し、復調されたＣＡＴＶ信号をセットトップボックスや同軸のＣＡＴＶ線路に供給する装置に限ることはなく、光ファイバーが導入される電子機器の全般が含まれる。
上記説明した本発明にかかる光端末装置においては、光ファイバーを導入する光ファイバー導入孔を左右に１つずつ設けるようにしたが、これに限ることはなく２つ以上の光ファイバー導入孔を左右に設けて複数本の光ファイバーを左右の光ファイバー導入孔から光端末装置内に導入するようにしても良い。また、光端末装置に導入された光ファイバーの余長を余長収納トレイにより収納して、その光ファイバーを他の光ファイバー導入孔から導出するようにしても良い。この場合は、光端末装置は光ファイバーの余長を収納する余長収納装置としても機能するようになる。
また、上記説明した本発明の光端末装置にかかる余長収納トレイにおいて、光ファイバーの余長を巻回する複数のガイド部に異なる高さの押さえ爪を２段に形成するようにしたが、これに限ることはなく複数のガイド部に異なる高さの押さえ爪を３段以上形成するようにしてもよい。
さらに、上記説明した本発明の光端末装置にかかるスリーブ保持部の一方はスリーブ保持片の高さを異ならせて２段に形成することにより、スリーブやメカニカルスプライスとされる筒状接続部を上下段に保持できるようにしたが、これに限ることはなくスリーブ保持片の高さを異ならせて３段以上形成して、筒状接続部を３段以上保持できるようにしてもよい。また、余長収納トレイに２つのスリーブ保持部を設けることに替えて、高さの異なるスリーブ保持片を有するスリーブ保持部を１つだけ設けるようにしてもよい。
さらにまた、上記説明した本発明の光端末装置にかかる本体部の前面板には同軸端子、光ファイバーの導入孔、電源ユニットの電源ケーブルが引き出されるスライド部が設けられており、本体部の前面板に光ファイバーなどのラインやケーブルの導入および導出が集中するようにされている。しかし、これに限ることはなく本体部の後面板や側面板に、同軸端子、光ファイバーの導入孔、電源ケーブルが引き出されるスライド部を設けるようにしてもよい。
【符号の説明】
【００４２】
１  光端末装置、２  本体部、２ａ  前面板、２ｂ  側面板、２ｃ  係合突部、２ｄ  取付片、２ｅ  円筒状部、２ｆ  光ファイバー導入孔、２ｇ  支持片、３  蓋部、３ａ  上面板、３ｂ  第１側面板、３ｃ  第２側面板、３ｄ  延伸部、３ｅ  係合片、３ｆ  保持片、４  余長収納トレイ、４ａ  底面部、４ｂ  第１側壁、４ｃ  第２側壁、４ｄ  第３側壁、４ｅ  第４側壁、５  電子回路ユニット、５ａ  光コネクタ、６  電源ユニット、８ａ  第１巻部、８ｂ  第２巻部、８ｃ  第３巻部、８ｄ  第４巻部、８ｅ  第５巻部、８ｆ  第６巻部、２１  スライド部、２１ａ  ケーブル挿入口、２１ｂ  スライド片、４１ａ  第１ガイド部、４１ｂ  第２ガイド部、４１ｃ  第３ガイド部、４１ｄ  第４ガイド部、４２ａ  上段押さえ爪、４２ｂ  下段押さえ爪、４２ｃ  シート押さえ爪、４２ｄ  空隙、４２ｅ  中央シート押さえ爪、４３  スリーブ保持部、４３ａ  第１スリーブ保持片、４３ｂ  第２スリーブ保持片、４３ｃ  支持部、４３ｄ  第１係合爪、４３ｅ  第２係合爪、４４  スリーブ保持部、４４ａ  スリーブ保持片、４４ｂ  支持部、４４ｃ  係合爪、４５  挟着部、４５ａ  挟着片、４５ｂ  係止片、４５ｃ  導入溝、４５ｄ  ヒンジ部、４５ｅ  挟着溝、４６ａ  外側ガイド部、４６ｂ  外側ガイド部、４６ｃ  外側ガイド部、４６ｄ  外側ガイド部、４６ｅ  外側ガイド部、４７  シート、４７ａ  中央部、４７ｂ  上部、４７ｃ  下部、４７ｄ  切欠、４７ｅ  切り抜き部、４８ａ  凹部、４８ｂ  凹部、４９ａ  係止部、４９ｂ  係止凹部、５１  同軸端子、６１  電源ケーブル、７１ａ  光ファイバー、７１ｂ  光ファイバー、７２ａ  スリーブ、７２ｂ  スリーブ、１００  光端末装置、１０２  本体部、１０２ａ  光ファイバー導入孔、１０２ｂ  取付片、１０２ｃ  係合突起、１０２ｄ  枢軸、１０３  蓋部、１０３ｂ  延伸部、１０３ｃ  係合片、１０４  余長収納トレイ、１０４ａ  側壁、１２１  防水キャップ、１２１ａ  頭部、１２１ｂ  足部、１４１  ガイド壁、１４２  押さえ爪、１４４  スリーブ保持部、１４５  挟着部、１４７  挟持部、１５１  同軸端子、１６０  ケーブル挿入孔、１６１  電源ケーブル
【図１】
2015121717.tif 000003
【図２】
2015121717.tif 000004
【図３】
2015121717.tif 000005
【図４】
2015121717.tif 000006
【図５】
2015121717.tif 000007
【図６】
2015121717.tif 000008
【図７】
2015121717.tif 000009
【図８】
2015121717.tif 000010
【図９】
2015121717.tif 000011
【図１０】
2015121717.tif 000012
【図１１】
2015121717.tif 000013
【図１２】
2015121717.tif 000014
【図１３】
2015121717.tif 000015
【図１４】
2015121717.tif 000016
【図１５】
2015121717.tif 000017
【図１６】
2015121717.tif 000018
【図１７】
2015121717.tif 000019
【図１８】
2015121717.tif 000020
【図１９】
2015121717.tif 000021
【図２０】
2015121717.tif 000022